【手続補正書】
【提出日】平成22年12月27日(2010.12.27)
【手続補正１】
【補正対象書類名】特許請求の範囲
【補正対象項目名】全文
【補正方法】変更
【補正の内容】
【特許請求の範囲】
【請求項１】
入力されたジョブに基づいて画像形成を行う画像形成部と、
商用電源から供給される交流電力を直流電力に変換し、前記画像形成部の直流負荷へ電力を供給する直流電源部と、
前記直流電源部により充電可能で、前記直流負荷へ電力を供給する補助電源部と、
前記補助電源部の電圧が放電停止電圧を下回った場合には前記補助電源部から前記直流負荷への電力の供給を停止させ前記直流電源部から充電を行い、前記補助電源部が前記直流電源部により充電を行っている際に前記補助電源部の電圧が放電開始電圧以上となった場合には前記補助電源部から前記直流負荷への電力の供給を開始させるよう制御する制御部と、
を備え、
前記制御部は、入力されたジョブの量が多いほど前記放電停止電圧と前記補助電源部の満充電電圧の間で前記放電開始電圧を高く設定し、入力されたジョブの量が少ないほど前記放電停止電圧と前記満充電電圧の間で前記放電開始電圧を低く設定することを特徴とする画像形成装置。
【請求項２】
前記補助電源部は、電気２重層キャパシタを有することを特徴とする請求項１に記載の画像形成装置。
【手続補正２】
【補正対象書類名】明細書
【補正対象項目名】００１０
【補正方法】変更
【補正の内容】
【００１０】
前記課題を解決するため、本発明では、画像形成装置を次のとおりに構成する。
【手続補正３】
【補正対象書類名】明細書
【補正対象項目名】００１１
【補正方法】変更
【補正の内容】
【００１１】
（１）入力されたジョブに基づいて画像形成を行う画像形成部と、商用電源から供給される交流電力を直流電力に変換し、前記画像形成部の直流負荷へ電力を供給する直流電源部と、前記直流電源部により充電可能で、前記直流負荷へ電力を供給する補助電源部と、前記補助電源部の電圧が放電停止電圧を下回った場合には前記補助電源部から前記直流負荷への電力の供給を停止させ前記直流電源部から充電を行い、前記補助電源部が前記直流電源部により充電を行っている際に前記補助電源部の電圧が放電開始電圧以上となった場合には前記補助電源部から前記直流負荷への電力の供給を開始させるよう制御する制御部と、を備え、前記制御部は、入力されたジョブの量が多いほど前記放電停止電圧と前記補助電源部の満充電電圧の間で前記放電開始電圧を高く設定し、入力されたジョブの量が少ないほど前記放電停止電圧と前記満充電電圧の間で前記放電開始電圧を低く設定することを特徴とする画像形成装置。
【手続補正４】
【補正対象書類名】明細書
【補正対象項目名】００１２
【補正方法】削除
【補正の内容】
【手続補正５】
【補正対象書類名】明細書
【補正対象項目名】００１６
【補正方法】変更
【補正の内容】
【００１６】
図１は本実施の形態の画像形成装置（複写機能、プリンタ機能、ＦＡＸ機能を併せ持つ複合機）の概略構成を示すブロック図である。図示のように、本実施の形態では、デジタルカラー画像リーダ部３００およびデジタルカラー画像プリンタ部１００を有する。
１は、プリンタ部１００のＤＣ負荷４（モータ，クラッチ等）を制御して画像形成動作を行い、リーダ部３００と通信を行う制御部で、一般的にＤＣコントローラと呼ばれる。制御部１は、さらに、後述するように、補助電源部の電圧を検出し、補助電源部の充電や放電を制御する。２は記録紙上に転写されたトナー像を熱で固着させる定着部である。３はＤＣ電源部で、制御部１やＤＣ負荷４およびリーダ部３００へ電力を供給する。５はＤＣ／ＤＣコンバータであり、ＤＣ電源部３から供給された直流電圧をリーダ部３００で必要な直流電圧に変換している。６は補助電源部であり、本実施の形態では電気２重層キャパシタから構成されている。７は、消費電力量に応じてＤＣ／ＤＣコンバータ５へ供給する電源をＤＣ電源部３にするか、補助電源部６にするかを切り替えるための切替部である。８は記録用紙を乾燥させるためのヒータ等のＡＣ負荷である。
【手続補正６】
【補正対象書類名】明細書
【補正対象項目名】００１７
【補正方法】変更
【補正の内容】
【００１７】
商用電源ＡＣ１００から供給された電力は図示しないメインスイッチを介してＤＣ電源部３と定着部２に供給される。ＤＣ電源部３は商用電源ＡＣ１００から供給される交流電力を直流電力に変換し、画像形成装置の制御部１やモータ，クラッチ等の各種ＤＣ負荷４に供給する。この電源供給により、定着部２やＤＣ負荷４が所定の画像形成動作を行う。また、切替部７は、スタンバイ中やスリープ中，あるいは動作中において制御部１の指示により切替部７のスイッチをＡ端子側に切り替えると共に、スイッチング素子９へ充電電流制御信号Ｓｉｇ１を与え、ＤＣ電源部３から補助電源部６への充電を行う。すなわち、切替部７により補助電源部６の放電制御を行い、スイッチング素子９により補助電源部６の充電制御を行う。
【手続補正７】
【補正対象書類名】明細書
【補正対象項目名】００１９
【補正方法】変更
【補正の内容】
【００１９】
ここで、ＤＣ／ＤＣコンバータ５が正常に動作するために必要な入力電圧は一定値ではなく、ある値以上の範囲であれば良い。本実施の形態においては２４Ｖの出力をするのに必要な入力電圧範囲は１３Ｖ〜２４Ｖである。ただし１３Ｖ＜後述の放電停止電圧Ｖ１＜２４Ｖである。
【手続補正８】
【補正対象書類名】明細書
【補正対象項目名】００２３
【補正方法】変更
【補正の内容】
【００２３】
そして制御部１は補助電源部６の電圧を監視しながら放電開始電圧Ｖ２以上になるまで充電する（Ｓ１２、Ｓ１３）と共にジョブを保留し、図示しない表示部へ充電中である旨を表示する。即ち、制御部１は電圧検出手段としても機能する。
【手続補正９】
【補正対象書類名】明細書
【補正対象項目名】００２５
【補正方法】変更
【補正の内容】
【００２５】
以上説明したように、本実施の形態によれば、蓄電式電源の充放電の切り替えをプリント量（ジョブの量に対応）に応じて適切に行うことができる。
【手続補正１０】
【補正対象書類名】明細書
【補正対象項目名】００２６
【補正方法】変更
【補正の内容】
【００２６】
なお、本実施の形態では、ジョブのプリント量に応じて放電開始電圧Ｖ２の値を決めているが、放電開始電圧Ｖ２の設定値は、次に控えているジョブの種類によって自動的に設定してもよい。ジョブの種類としては、たとえば、リーダのみ動作するＳＥＮＤ動作，プリンタのみ動作するプリント動作，ＦＡＸのみ動作するＦＡＸ送受信動作等がある。
また、ユーザ設定により蓄電式電源がフル充電するまでは放電させないといった手動での設定も可能である。また、本実施の形態では補助電源部６のキャパシタの充電電圧が放電開始電圧Ｖ２以上になるまでジョブを保留する構成としたが、ジョブを保留せずプリントスピードを落していわゆる縮退動作でなるべくキャパシタの消費電流を抑えた動作を行う構成としても良い。また、ジョブを保留せずＤＣ電源部３からの電力に応じたプリントスピードでプリントを行ってもよい。
本実施の形態では、切替部７のスイッチの切り替えにより、補助電源部６の放電の開始、停止を制御している。しかし、これに限らず、スイッチを切り替えず、あるいはスイッチを用いることなく、ＤＣ／ＤＣコンバータなどの駆動、非駆動により補助電源部の放電の開始、停止を制御するようにしてもよい。